(57)【要約】【課題】工場内等に設置されている鋼製配管から漏水した際に、短時間で応急処置をすることができる簡易止水方法および簡易止水治具を提供する。【解決手段】縦方向及び横方向にそれぞれ複数配置されたネオジウム磁石１２を２枚のゴムシート１１ａ、１１ｂで挟み込んで構成した簡易止水シート１０を用いて鋼製配管１の漏水部（破孔部）２の周囲を覆い、ネオジウム磁石１２の磁力でゴムシート１１ａ、１１ｂを鋼製配管１に密着固定する。【選択図】図３
2011185362.tif 000002
【特許請求の範囲】
【請求項１】
鋼製配管から漏水した時の簡易的な止水方法であって、前記鋼製配管の漏水部の周囲をゴムシートで覆うとともに、前記ゴムシートの上から漏水部の周囲に複数の永久磁石を配置し、前記ゴムシートを前記鋼製配管に密着固定することを特徴とする鋼製配管漏水時の簡易止水方法。
【請求項２】
前記永久磁石は、ネオジウム磁石であることを特徴とする請求項１に記載の鋼製配管漏水時の簡易止水方法。
【請求項３】
縦方向及び横方向にそれぞれ複数配置された永久磁石をゴムシートで挟み込んで構成した簡易止水治具を用いて鋼製配管の漏水部の周囲を覆い、前記ゴムシートを前記鋼製配管に密着固定することを特徴とする請求項１または２に記載の鋼製配管漏水時の簡易止水方法。
【請求項４】
縦方向及び横方向にそれぞれ複数配置された永久磁石をゴムシートで挟み込んで構成したことを特徴とする鋼製配管漏水時の簡易止水治具。
【発明の詳細な説明】
【技術分野】
【０００１】
本発明は、工場内等に設置されている鋼製配管から漏水した際の応急対策として行う簡易止水方法および簡易止水治具に関するものである。
【背景技術】
【０００２】
これまで、工場内に設置されている鋼製の水配管（以下、単に配管ともいう）が腐食等のために漏水を発生させると、その配管の止水弁を閉止し、配管内の水を抜き、配管の漏水部（破孔部）を溶接し、その上にバンドを巻いて止水を行っていた（例えば、特許文献１参照）。
【先行技術文献】
【特許文献】
【０００３】
【特許文献１】特開２０００−０８８１７８号公報
【発明の概要】
【発明が解決しようとする課題】
【０００４】
しかし、上記の止水方法では、配管内の水抜きに長時間を要し、その間工場生産が停止していた。特に３００Ａ以上の大径配管の場合、配管内の容積が大きいため、配管内の水抜きに非常に時間が掛かってしまっていた。
【０００５】
本発明は、上記のような事情に鑑みてなされたものであり、工場内等に設置されている鋼製配管から漏水した際に、短時間で応急処置をすることができる簡易止水方法および簡易止水治具を提供することを目的とするものである。
【課題を解決するための手段】
【０００６】
上記課題を解決するために、本発明は以下の特徴を有する。
【０００７】
［１］鋼製配管から漏水した時の簡易的な止水方法であって、前記鋼製配管の漏水部の周囲をゴムシートで覆うとともに、前記ゴムシートの上から漏水部の周囲に複数の永久磁石を配置し、前記ゴムシートを前記鋼製配管に密着固定することを特徴とする鋼製配管漏水時の簡易止水方法。
【０００８】
［２］前記永久磁石は、ネオジウム磁石であることを特徴とする前記［１］に記載の鋼製配管漏水時の簡易止水方法。
【０００９】
［３］縦方向及び横方向にそれぞれ複数配置された永久磁石をゴムシートで挟み込んで構成した簡易止水治具を用いて鋼製配管の漏水部の周囲を覆い、前記ゴムシートを前記鋼製配管に密着固定することを特徴とする前記［１］または［２］に記載の鋼製配管漏水時の簡易止水方法。
【００１０】
［４］縦方向及び横方向にそれぞれ複数配置された永久磁石をゴムシートで挟み込んで構成したことを特徴とする鋼製配管漏水時の簡易止水治具。
【発明の効果】
【００１１】
本発明においては、鋼製配管から漏水が発生した際に、迅速に応急的な止水を行うことができる。その結果、突発的な長時間の生産停止を回避することが可能となる。そして、恒久的な鋼製配管の復旧は後日計画的に実施することにより、生産活動に影響を及ぼさないようにすることができる。
【図面の簡単な説明】
【００１２】
【図１】本発明の一実施形態において用いる簡易止水シートの平面図である。
【図２】本発明の一実施形態において用いる簡易止水シートの断面図である。
【図３】本発明の一実施形態において簡易止水シートを貼付する直前の状態を示す斜視図である。
【図４】本発明の一実施形態において簡易止水シートを貼付した後の状態を示す斜視図である。
【図５】本発明の一実施形態において簡易止水シートを貼付した後の状態を示す断面図である。
【発明を実施するための形態】
【００１３】
本発明の一実施形態を図面に基づいて説明する。
【００１４】
本発明の一実施形態においては、配管内の容積が大きいため、配管内の水抜きに非常に時間が掛かってしまう３００Ａ以上の配管（鋼製配管）を対象にして、その漏水部（破孔部）にシートを貼付して簡易的に止水するようにしている。
【００１５】
その際に、シートは破孔部の曲面形状に沿って覆うため、破孔部の曲面形状への馴染性と、漏水の水圧に負けて裂けないような強度とを有していることが必要である。ちなみに、漏水による負荷荷重は、水圧としては約５ｋｇ／ｃｍ２の場合、φ４０ｍｍの破孔で約６５ｋｇになる。
【００１６】
そこで、破孔部を覆うシートには、厚さが３ｍｍ〜５ｍｍで、破孔部形状への馴染性に優れ、５ｋｇ／ｃｍ２の水圧に耐えうる引き裂き強度を保有したゴムシートを用いる。
【００１７】
ここで、ゴムシートとしては、ゴムシートの例示：シリコーンゴム、クロロプレーンゴム（ＣＲ）、ウレタンゴム（Ｕ）、ニトリルブタジエンゴム（ＮＢＲ）、エチレンプロピレンゴム（ＥＰＤＭ）、アクリルゴム（ＡＣＭ）、ブチルゴム（ＩＩＲ）  等を用いることができる。
【００１８】
そして、このゴムシートを当該配管に密着固定するには、破孔部から漏水している状態で簡易に止水処置が可能なように、水中でも機能を発揮することができる永久磁石を用いる。その永久磁石には人力で着脱が容易で、かつ水圧に負けないような高磁力を確保できるネオジウム磁石（Ｎｂ−Ｆｅ−Ｂ系磁石）が好適である。
【００１９】
また、永久磁石は、作業する場所のスペース、破孔した配管の大きさ、破孔の大きさ等に応じて、個数を増減ができるとともに、扱い易いサイズにしている。例えば、１個が□５０ｍｍ×１２．７ｍｍ厚の大きさである。
【００２０】
上記のような考え方に基づき、この実施形態において用いる簡易止水シート（簡易止水治具）を図１、図２に示す。図１は平面図であり、図２は断面図である。
【００２１】
図１、図２に示すように、この実施形態において用いる簡易止水シート１０は、２枚のゴムシート１１ａ、１１ｂと、そのゴムシート１１ａとゴムシート１１ｂの間に挟み込まれて、縦方向及び横方向にそれぞれ複数個配置されたネオジウム磁石１２とで構成されている。
【００２２】
なお、図１では、下側のゴムシート１１ａのみを示し、上側のゴムシート１１ｂは省略している。
【００２３】
ここで、ゴムシート１１ａは、例えば、大きさＬ１×Ｌ２×ｔｓaが２００ｍｍ×２００ｍｍ×４ｍｍで、引き裂き強度が５ｋｇ／ｃｍ２以上である。また、ゴムシート１１ｂは、例えば、大きさＬ１×Ｌ２×ｔｓｂが２００ｍｍ×２００ｍｍ×４ｍｍで、引き裂き強度が５ｋｇ／ｃｍ２以上である。
【００２４】
また、ネオジウム磁石１２は、例えば、大きさＳ１×Ｓ２×ｔｍが５０ｍｍ×５０ｍｍ×１２．７ｍｍであり、縦方向に３個、横方向に３個の計９個が取り付けられている。
【００２５】
それと、ゴムシート１１ａ、１１ｂでネオジウム磁石１２を挟み込む際には、熱を加えて、ゴムシート１１ａとゴムシート１１ｂを融着させて貼り合わせる。
【００２６】
そして、図３に斜視図を示すように、配管１の破孔部２から漏水３が発生した場合には、その破孔部２に簡易止水シート１０を貼付するようにする。すなわち、破孔部２をゴムシート１１ａ、１１ｂで覆い、そのゴムシート１１をネオジウム磁石１２の磁力で配管１に密着固定する。
【００２７】
図４は、破孔部２に簡易止水シート１０を貼付した状態を示す斜視図であり、図５は、その断面図である。
【００２８】
なお、図３、図４では、下側のゴムシート１１ａのみを示し、上側のゴムシート１１ｂは省略している。
【００２９】
このようにして、この実施形態においては、配管から漏水が発生した際に、迅速に応急的な止水を行うことができる。その結果、突発的な長時間の生産停止を回避することが可能となる。そして、恒久的な配管の復旧は後日計画的に実施することにより、生産活動に影響を及ぼさないようにすることができる。
【００３０】
なお、この実施形態では、２枚のゴムシート１１ａ、１１ｂの間に複数のネオジウム磁石１２を挟み込んで製作した簡易止水シート１０を予め用意しておき、その簡易止水シート１０を破孔部２に密着固定するようにしているが、場合によっては、まず、破孔部２をゴムシート１１ａで覆い、その後に、ゴムシート１１ａの上から破孔部２の周囲に複数のネオジウム磁石１２を配置して、ゴムシート１１ａを破孔部２に密着固定するようにしてもよい。
【実施例１】
【００３１】
本発明の実施例として、上記の本発明の一実施形態を３００Ａ以上の工場用水送水配管に適用した。
【００３２】
その結果、上記の配管に漏水が発生した場合、従来は止水するまでに１０時間程度を要していたのに対して、３時間程度で止水をすることができた。
【００３３】
これによって、本発明の有効性が確認された。
【符号の説明】
【００３４】
１  配管（鋼製配管）
２  漏水部（破孔部）
３  漏水
１０  簡易止水シート（簡易止水治具）
１１ａ  下側のゴムシート
１１ｂ  上側のゴムシート
１２  ネオジウム磁石
【図１】
2011185362.tif 000003
【図２】
2011185362.tif 000004
【図３】
2011185362.tif 000005
【図４】
2011185362.tif 000006
【図５】
2011185362.tif 000007